(57)【特許請求の範囲】
【請求項１】
一端に突先を有し、周面に長手方向に沿って溝部を有する紡錘形状の先端部と、
前記先端部から前記突先と反対側に向かって伸びた棒状の後端部と、
を有し、
前記先端部が前記突先側に向かって左右いずれかにカーブしている人工毛締結具。
【請求項２】
前記先端部から前記後端部に渡って太さが緩やかに細くなっている請求項１記載の人工毛締結具。
【請求項３】
前記後端部に筒状部材を挿入して保持可能な請求項１記載の人工毛締結具。
【請求項４】
一端に絞り込み可能な第１のループが形成された第１の人工毛部材と、
一端に絞り込み可能な第２のループが形成された第２の人工毛部材と、
を人毛に締結する人工毛の締結方法であって、
少なくとも一本の人毛を前記第１及び第２のループに通し、
前記第１及び第２のループを絞り込んで前記第１及び第２の人工毛部材を前記人毛に対して固定し、
前記第１及び第２のループよりも前記人毛の根元側において、前記人毛を止め結びで締結する人工毛の締結方法であって、
一端に突先を有し、周面に長手方向に沿って溝部を有する紡錘形状の先端部と、
前記先端部から前記突先と反対側に向かって伸びた棒状の後端部と、
を有する人工毛締結具を用いた人工毛の締結方法。
【請求項５】
一端に絞り込み可能な第１のループが形成された第１の人工毛部材と、
一端に絞り込み可能な第２のループが形成された第２の人工毛部材と、
を人毛に締結する人工毛の締結方法であって、
少なくとも一本の人毛を前記第１及び第２のループに通し、
前記第１及び第２のループを絞り込んで前記第１及び第２の人工毛部材を前記人毛に対して固定し、
前記第１及び第２のループよりも前記人毛の根元側において、前記人毛を止め結びで締結する、
人工毛の締結方法。
【請求項６】
前記第１の人工毛部材及び前記第２の人工毛部材の先端を前記人毛のループに入れたうえで、前記人毛の止め結びを作ることを特徴とする請求項４又は請求項５記載の人工毛の締結方法。
【発明の詳細な説明】
【技術分野】
【０００１】
本発明は人工毛を人毛に締結するための道具及び人工毛を人毛に締結する方法に関する。
【背景技術】
【０００２】
従来から人工毛を人毛に締結する増毛方法が知られている。その中でも人工毛の先端部分にループを形成し、その人工毛のループ内に人毛を挿通し、そのループを頭皮付近までスライドさせた後に緊結して人毛の根元部分に人工毛を固定する方法がある。
【０００３】
例えば特許文献１では内部に貫通孔を有する筒状部材に人工毛のループを通すことで人工毛を筒状部材の外周面に結び付け、筒状部材の貫通孔に人毛を挿通した後、人工毛のループを筒状部材から外して人毛を人工毛のループに通す方法が開示されている。
【０００４】
また特許文献２及び特許文献３では人工毛のループに人毛を通すための別の道具及び方法が開示されている。
【０００５】
また人毛に締結された人工毛のループが人毛から脱落することを防止するために、人毛に締結された人工毛のループ部分よりも上側（すなわちループ部分よりも人毛の先端側）に人毛の結び目を設ける方法がある。
【０００６】
例えば、特許文献４には、人工毛脱落防止のために、人毛の結び目を人工毛のループ部分に、より近接して設けるための道具及び方法が開示されている。
【０００７】
また人工毛を人毛の根元付近に締結した後に、一定期間が経過すると人毛が伸び、人毛に締結されている人工毛のループ部分が頭皮から離れてしまい不自然な見た目になってしまったり、櫛通りが悪くなってしまったりする不具合が生じる。
【０００８】
そのため頭皮から離れてしまった古い結び目を解き、伸びた人毛に締結された人工毛のループ部分を人毛の根元近くまで移動させることができるような人工毛の締結方法がある。
【０００９】
例えば特許文献５には、人工毛脱落防止のための人毛の結び目を、人毛に締結された人工毛のループ部分の上側に人毛で引き取けるように設け、その結び目に人工毛の先端を挿通して人毛を締結する方法が開示されている。この方法では、人工毛脱落防止のための結び目を解くときは、結び目から人工毛の先端を抜き、人毛を引っ張ることで、人毛の結び目を引き解く。
【先行技術文献】
【特許文献】
【００１０】
【特許文献１】特開平５−１５６５０６号公報
【特許文献２】特開平９−２６８４１４号公報
【特許文献３】特開平２００２−１９４６１２号公報
【特許文献４】特開平２０１３−２０９７８１号公報
【特許文献５】特開平２００６−６３４５７号公報
【発明の概要】
【発明が解決しようとする課題】
【００１１】
人毛に人工毛を締結する増毛方法で増毛効果を高めるためには、非常に多くの人毛に対して人工毛を締結する必要があり、そのため人工毛の締結には効率的な作業が求められる。
【００１２】
しかしながら、特許文献１に記載された発明では、人毛を人工毛のループに挿通した後に、人毛に人工毛脱落防止のための結び目を作るために筒状部材から人毛を抜く必要があり作業時間にロスが生じる。そして人工毛脱落防止のための結び目を別の道具で作る必要があり、人毛に対して人工毛を締結する一連の作業を効率的に行うことが困難であった。
【００１３】
一方、特許文献２及び特許文献３に開示されている発明でも同様に、人工毛脱落防止のための結び目を別の道具で作る必要があり、人毛に対して人工毛を締結する一連の作業を効率的に行うことが困難であった。
【００１４】
また、特許文献４に開示される発明においても、人工毛のループ内に人毛を挿通する作業と、人工毛脱落防止のための人毛の結び目を作る作業とを、別々の道具を用いて行う必要があり、一連の作業を連続して行うことができず作業効率を上げることが困難という課題があった。
【００１５】
また人毛が伸びたことにより人毛の根元から離れてしまった人工毛脱落防止のための結び目を解く場合においても、効率的に、且つ人毛の毛根部分に負担をかけることなく解くことが望まれる。
【００１６】
しかしながら、特許文献５に開示される発明では、古い結び目を解くためにまず、人毛の結び目に挿通された人工毛を引き抜く必要があり効率的でなく、また人毛自体を引っ張って結び目を解くため、人毛の毛根部分に負担がかかるという課題があった。
【００１７】
本発明は上記事情に鑑み、人工毛のループ内に人毛を挿通する作業と、人工毛脱落防止のための人毛の結び目を作る作業とを効率的に行うことのできる道具を提供する。また併せて、効率的かつ人毛に負担がからない人工毛の人毛への締結方法を提供する。
【課題を解決するための手段】
【００１８】
本発明にかかる人工毛締結具は、
一端に突先を有し、周面に長手方向に沿って溝部を有する紡錘形状の先端部と、
前記先端部から前記突先と反対側に向かって伸びた棒状の後端部と、
を有する。
【００１９】
また、本発明に係る人工毛の締結方法は、
一端に絞り込み可能な第１のループが形成された第１の人工毛部材と、
一端に絞り込み可能な第２のループが形成された第２の人工毛部材と、
を人毛に締結する人工毛の締結方法であって、
少なくとも一本の人毛を前記第１及び第２のループに通し、
前記第１及び第２のループを絞り込んで前記第１及び第２の人工毛部材を前記人毛に対して固定し、
前記第１及び第２のループよりも前記人毛の根元側において、前記人毛を止め結びで締結する。
【発明の効果】
【００２０】
本発明の人工毛締結具を用いると、人工毛を人毛に締結する作業を効率的に行うことができる。また本発明の人工毛の締結方法を用いると、効率的かつ人毛に負担をかけずに増毛を行うことができる。
【図面の簡単な説明】
【００２１】
【図１】本実施の形態に係る人工毛締結具の説明図である。
【図２】本実施の形態に係る人工毛締結方法で用いる人工毛の説明図である。
【図３】本実施の形態に係る人工毛締結具と併せて使用する道具の説明図である。
【図４】本実施の形態に係る人工毛締結具を用いて人毛を人工毛の先端のループに挿通する方法の説明図である。
【図５】本実施の形態に係る人工毛脱落防止のための結び目を締結する方法の説明図である。
【図６】本実施の形態に係る人工毛締結方法で締結した人工毛脱落防止のための結び目を解除する方法の説明図である。
【発明を実施するための形態】
【００２２】
図１は本実施の形態に係る人工毛締結具１を示している。
【００２３】
図１（ａ）は、本実施の形態に係る人工毛締結具１の斜視図である。人工毛締結具１は先端部２と後端部３を有する。先端部２は周面に長手方向に沿って溝部４を有する紡錘形状をしており、その一端に突先８を有する。後端部３は棒状であり、先端部２から突先８と反対側に向かって伸びている。
【００２４】
斜線５で示す部分は、先端部２の周面の一部であり、人工毛締結具１を左手で把持した場合に親指が接触する部分である。この部分は把持したときに親指が安定するよう、紡錘形状の太さを大きくし、広い面積を確保することが望ましい。
【００２５】
図１（ｂ）は溝部４側から見た人工毛締結具１の平面図である。斜線６及び７で示す部分は、それぞれ人工毛締結具１を左手で把持した場合の人差指と中指の位置に相当する。人工毛締結具１の先端部２は前方に向かって左に若干カーブした形状となっている。前方とは後端部３から先端部２側に向かう方向である。
【００２６】
このカーブ形状により、把持者の人差指及び中指を人工毛締結具１の側面に自然に添わせることができ、人工毛締結具１を把持したときに人差指及び中指を安定させることができる。
【００２７】
また人工毛締結具１を左手で把持すると、先端部２の突先８は、被施術者の人毛が起立している皮膚側を向く。これにより人工毛締結具１自体を皮膚に垂直に立てることなく、突先８を皮膚に垂直に立てることができ、人毛の根元に容易に力を加えることができ、人毛の根元部分に結び目を作るなどの作業が容易になる。
【００２８】
図１（ｃ）は図１（ｂ）中のＡ−Ａ線における先端部２の横断面図であり、溝部４の断面を含む。溝部４に渡ってその断面形状は凹形状であればよい。
【００２９】
なお、人工毛締結具１の色は特に限定はないが、施術対象の人毛の色とのコントラストが大きい色が良い。例えば黒色や褐色といった暗色系の人毛に対して施術を行う場合、白色が望ましい。一方、被施術者の人毛が白髪などの場合は、黒色など暗色系の色が望ましい。人工毛締結具１と人毛とのコントラストにより、人毛を明瞭に識別することができ、施術を容易にできるからである。
【００３０】
また、人工毛締結具１は、施術者が右手を使用する場合は、図１（ｂ）の長二点鎖線Ｌに対して左右反転となる形状が望ましい。この場合は人工毛締結具１の先端部２は前方に向かって若干右向きにカーブする。また人工毛締結具１の周面は滑らかな形状であり、先端部２から後端部３に渡って太さが緩やかに細くなるように形成されることが望ましい。
【００３１】
人工毛締結具１を構成する部材は単一の材料で一体形成されていてもよく、または同一又は異なる材料からなる複数部材を組合わせて形成されていてもよい。材料としては合成樹脂（プラスチック）やステンレス等を用いてもよい。また人工毛締結具１の後端部３は図１（ｄ）に示すように先端部２から突先８と反対側に向かって屈曲しながら伸びていてもよい。
【００３２】
図２は、本実施の形態に係る人工毛締結方法に用いる人工毛部材を示す図である。
【００３３】
図２（ａ）は１本の人工毛部材用の繊維１０を示している。図２（ｂ）は、繊維１０から作られた１つの人工毛部材１１を示している。人工毛部材１１は、繊維１０を折り曲げることで形成され、繊維１０の両端が二本の人工毛１１ａとなる。また繊維１０の折り曲げ部分に人毛取り付けのためのループ１１ｂが設けられる。
【００３４】
ループ１１ｂは緊結できるように絞り込みが可能であればよい。例えば図２（ｃ）また図２（ｄ）に示すように形成されたループである。
【００３５】
この人工毛部材１１のループ１１ｂを人毛に締結することで、１本の人毛に対して２本の人工毛１１ａを加えることができる。また１本の人毛に対して複数の人工毛部材１１を締結することもでき、この場合より１本の人毛に対して多くの人工毛１１ａを加えることができる。
【００３６】
図３は人工毛締結具１と併せて使用する道具の説明図である。
【００３７】
図３（ａ）は筒状部材４０であり、内部に貫通孔４０ａを有する。筒状部材４０は、人毛に締結される前の人工毛部材１１を一時的に保持するための道具である。図３（ｂ）に示すように筒状部材４０の外周に人工毛部材１１のループ１１ｂを通して結んでおくことで人工毛部材１１を筒状部材４０に固定することができる。
【００３８】
人工毛の締結を行う際に、人工毛締結具１の後端部３を筒状部材４０の貫通孔４０ａに挿入して、人工毛締結具１に固定することで、複数の人工毛部材１１を作業者の手元の近くに置き、作業者が複数の人毛に対して連続し作業をする際の効率を高めることができる。
【００３９】
図３（ｃ）はカギ針２０であり先端にフック２０ａがついており、人工毛を人毛に締結する際に使用する。
【００４０】
次に本実施の形態に係る人工毛締結方法について説明する。
【００４１】
図４は人工毛締結具１を用いて人工毛部材１１のループ１１ｂを人毛に締結する方法を説明する図である。まず図４（ａ）に示す通り、人工毛締結具１と筒状部材４０を準備する。筒状部材４０は事前に外周に複数の人工毛部材１１のループ１１ｂを通し、複数の人工毛部材１１を固定しておく。
【００４２】
次に図４（ｂ）に示す通り、筒状部材４０の内側の貫通孔４０ａに人工毛締結具１の後端部３を挿入する。ここで筒状部材４０の貫通孔４０ａには後端部３は挿通可能だが前端部２は後端部３よりも太くなっており、筒状部材４０は挿通できないため、筒状部材４０が人工毛締結具１をすり抜けることはなく、後端部３に挿入されたところで止まる。
【００４３】
これにより施術者の手元に複数の人工毛部材１１を準備することができ、筒状部材４０から人工毛部材１１のループ１１ｂを外し人工毛締結具１の先端部２に通すことで、人工毛部材１１を人毛３０へ取り付ける作業にすぐに移行することができる。
【００４４】
その後、図４（ｃ）に示すように、人工毛部材１１を人工毛締結具１の先端部２の溝部４の上までスライドさせ、溝部４にカギ針２０の先端のフック２０ａを通し、人毛３０をフック２０ａで引っ掛ける。
【００４５】
続いて、図４（ｄ）に示すように、カギ針２０を使って、ループ１１ｂの中にフック２０ａで引っ掛けた人毛３０を手繰り寄せて、人工毛部材１１のループ１１ｂを通過させる。その際、溝部４を利用して、容易にループ１１ｂに人毛３０を挿入させることができる。
【００４６】
その後、人工毛部材１１のループ１１ｂを人毛３０の根元部分までスライドして移動させ、人工毛１１ａの先端を引っ張ることで、ループ１１ｂを絞り込んで、人工毛１１ａを人毛４０に締結する。
【００４７】
なお、ここでは人毛３０に人工毛部材１１を１つ（すなわち人工毛１１ａを２つ）取り付ける例を示しているが、取り付けを行う人工毛部材１１が複数個の場合は、必要な数の人工毛部材１１のループ１１ｂを筒状部材４０から外し、図４（ｂ）から（ｄ）の作業を行えばよい。
【００４８】
次に図５に基づき、人工毛締結具１を用いて人工毛が人毛から脱落することを防止するための人毛の結び止め方法について説明する。
【００４９】
図５（ａ）は人毛３０に人工毛部材１１を２つ締結した状態を示している。次にこの状態から、図５（ｂ）に示すように人毛３０で締結前の止め結び３０ａを形成する。
【００５０】
具体的には、人工毛締結具１の先端部２に人毛３０を巻き付けてループを作り、カギ針２０の先端のフック２０ａを溝部４に沿って、ループを通過させ、人毛３０の先端をフック２０ａに引っ掛け、手繰り寄せてループの中に通すことで、締結前の止め結び３０ａを作る。
【００５１】
次に人工毛締結具１の先端部２に締結前の止め結び３０ａを巻き付けたまま、続いて、カギ針２０の先端のフック２０ａに４本の人工毛１１ａを引っ掛け、手繰り寄せて、締結前の止め結び３０ａの中に４本の人工毛１１ａを図５（ｃ）に示すように通す。ここで人工毛１１ａを締結前の止め結び３０ａの中に通す方向は、締結前の止め結び３０ａを作る際に人毛３０の先端をループに通したのと同じ方向である。
【００５２】
ここで、締結前の止め結び３０ａを人工毛締結具１から外し、図５（ｄ）に示すように、締結前の止め結び３０ａの交差部分３０ｂを、人工毛のループ１１ｂよりも人毛の根元側にずらす。
【００５３】
そして、人工毛締結具１の突先８で人毛３０の根元に近い部分を押さえて固定した状態で人毛３０をその先端側に引っ張ることで、図５（ｅ）に示すように、止め結びの３０ａを人工毛のループ１１ｂよりも人毛３０の根元側できつく締結することができる。これにより人工毛部材１１が人毛３０から脱落することを防止できる。
【００５４】
なお、上記の方法では、図５（ｂ）で一旦、人毛３０で締結前の止め結び３０ａを形成し、その後、人工毛１１の先端を締結前の止め結び３０ａの輪の中に入れる手順を取ったが、人毛の止め結び３０ａを作る際に、図５（ｆ）のよう人工毛部材１１の先端を人毛のループに入れたうえで、締結前の止め結び３０ａを作ることもできる。この方法であれば、図５（ｂ）の状態を経ずに、図５（ｃ）に至ることができ、より作業の効率化を図ることができる。
【００５５】
次に人毛３０が伸びた後、人毛に締結された人工毛を人毛が伸びた分だけ頭皮近くまで移動させる方法について説明する。まず人工毛脱落防止のための結び目を解除する必要があるが、本実施の形態に係る方法で１本の人毛３０に対して少なくとも２本以上の人工毛部材１１を締結している場合、締結された人工毛脱落防止のための結び目は容易に解除できる。
【００５６】
具体的には、図６に示すように人毛３０に取り付けられた複数の人工毛部材１１のうちの２つの人工毛部材１１を互いに引き離すように引っ張ることで、止め結び３０ａの締結を容易に解くことができる。
【００５７】
また人毛３０の根元に近いほうの人工毛部材１１をそのループ１１ｂが人毛の根元の真上あたりに位置するように固定し、他方の人工毛部材１１を人毛が皮膚から起立する方向と垂直方向側に引っ張ることで人毛３０の根元に負担をかけることなく、人毛３０の結び止め３０ａの締結を解くことができる。
【００５８】
人毛の結び止めの締結を解除した後は人工毛のループ１１ｂを再度人毛の根元付近までずらし、再度、図５のとおり人毛の結び止めの締結を行う。
【００５９】
以上により、本実施の形態の人工毛締結具１を用いると、人工毛部材１１を人毛３０に締結し、人毛に対して人工毛脱落防止のための結び目を作るという一連の作業を複数の人毛３０に対して連続して行うことでき、人工毛部材１１を人毛３０に締結する作業を効率的に行うことができる。これにより増毛効果を高めることができる程度の数量の人毛に対する増毛施術を短時間で行うことが可能となる。
【００６０】
また本実施の形態に係る人工毛締結方法によると、人工毛脱落防止のための結び目を人毛の毛根部分に負担をかけることなく、容易に解くことができるので、一定期間が経過して人毛が伸びた場合に、人工毛の位置を人毛の根元付近に付け直す場合でも、自然で櫛通りの良い仕上がりを容易に実現することができる。
【符号の説明】
【００６１】
１  人工毛締結具
２  先端部
３  後端部
４  溝部
５  親指接触部
６  人差指位置
７  中指位置
８  突先
１０  人工毛繊維
１１  人工毛部材
１１ａ  人工毛
１１ｂ  ループ部
２０  カギ針
２０ａ  先端部
３０  人毛
３０ａ  止め結び
４０  筒状部材
４０ａ  貫通孔
【要約】
【課題】人工毛のループ内に人毛を挿通する作業と、人工毛脱落防止のための人毛の結び目を作る作業とを効率的に行うことのできる道具を提供する。また併せて、効率的かつ人毛に負担のかからない人工毛の人毛への締結方法を提供する。
【解決手段】周面に長手方向に沿った溝部を有する紡錘形状であって、一端に突先を有する先端部と、前記先端部から前記突先と反対側に向かって伸びた棒状の後端部とを有する人工毛締結具、及び人毛に固定された２つの人工毛部材のループよりも人毛の根元側において人毛を止め結びで締結する人工毛締結方法。
【選択図】図１【図１】
0006697620.tif 000002
【図２】
0006697620.tif 000003
【図３】
0006697620.tif 000004
【図４】
0006697620.tif 000005
【図５】
0006697620.tif 000006
【図６】
0006697620.tif 000007